(57)【要約】【課題】白熱電球と同様に、減光とともに色温度の低い光を発することのできる、簡単な回路構成のＬＥＤランプを提供する。【解決手段】調光操作によって大きさが変化する直流の入力電流を受けて点灯するＬＥＤランプ１０を、第１のＬＥＤ１８と、第１のＬＥＤ１８に対して並列に接続されているとともに、第１のＬＥＤ１８よりも色温度の低い光を発する第２のＬＥＤ２０と、第１のＬＥＤ１８に対して並列、かつ、第２のＬＥＤ２０に対して直列に接続されているインピーダンス回路とで構成することにより、上記課題を解決できる。【選択図】図１
2015002034.tif 000002
【特許請求の範囲】
【請求項１】
調光操作によって大きさが変化する直流の入力電流を受けて点灯するＬＥＤランプであって、
第１のＬＥＤと、
前記第１のＬＥＤに対して並列に接続されているとともに、前記第１のＬＥＤよりも色温度の低い光を発する第２のＬＥＤと、
前記第１のＬＥＤに対して並列、かつ、前記第２のＬＥＤに対して直列に接続されているインピーダンス回路とを備える
ＬＥＤランプ。
【請求項２】
前記インピーダンス回路は、前記第２のＬＥＤを定電流で点灯させる定電流回路であることを特徴とする請求項１に記載のＬＥＤランプ。
【請求項３】
前記インピーダンス回路は、空冷ファンであることを特徴とする請求項１に記載のＬＥＤランプ。
【請求項４】
前記第１のＬＥＤの順方向電圧は、前記第２のＬＥＤの順方向電圧よりも高いことを特徴とする請求項１から３のいずれかに記載のＬＥＤランプ。
【発明の詳細な説明】
【技術分野】
【０００１】
本発明は、位相制御調光器などを用いた調光操作によって変化する入力電流を受けて点灯するＬＥＤランプに関する。
【背景技術】
【０００２】
従来の白熱電球（ハロゲンランプ含む）に比べて、消費電力が低く、かつ長寿命といった長所を有する発光ダイオード（以下、「ＬＥＤ」という。）は、需要者のエコロジー意識の高まりとともに、省エネ対策のひとつとしてその使用範囲が急速に広まっており、また、白熱電球の代替としてＬＥＤを使用したいというニーズも高まっている。加えて、位相制御調光器などを用いた調光操作によってＬＥＤからの光の明るさを変えることも一般的に行われている。
【０００３】
ところで、従来の白熱電球の場合、位相制御調光器を用いた調光操作により商用交流電圧の導通角を狭くして白熱電球を暗くしていくと、当該電球内で発光するフィラメントの温度が低下することにより、当該フィラメントから発せられる光の色温度も低くなって赤っぽくなる。
【０００４】
一方、ＬＥＤの場合は、電流を低減して暗くしても色温度は変わらない。このため、調光されるケースが比較的多いホテルなどで使用されるハロゲン電球の代替え用途を主たる目的とした、従来の白熱電球を用いた場合と同じく調光とともに色温度が変わり、これにより客室の雰囲気を維持することができるＬＥＤランプが望まれている。
【０００５】
このように色温度が変わるＬＥＤ駆動回路の従来技術として、特許文献１を挙げることができる。特許文献１に開示されたＬＥＤ駆動回路は、互いに色温度が異なる少なくとも２つのＬＥＤにそれぞれ給電するランプバラスト回路と、調光操作によって変化する入力供給電圧の値に応じたランプ制御信号を出力するバラスト制御回路とを備えている。また、各ランプバラスト回路から対応するＬＥＤランプに供給される電圧の大きさは、バラスト制御回路から供給されるランプ制御信号に応じて変化するようになっている。
【０００６】
特許文献１のＬＥＤ駆動回路によれば、入力供給電圧の低下に伴い、色温度が比較的高いＬＥＤに供給する電圧の割合を低下させるとともに、色温度が比較的低いＬＥＤに供給する電圧の割合を上昇させることにより、あたかも白熱電球から発する光のように、ＬＥＤランプ全体として発する光の色温度を光量の低下とともに低下させることができる。
【先行技術文献】
【特許文献】
【０００７】
【特許文献１】特表２００８−５０７８１７号公報
【発明の概要】
【発明が解決しようとする課題】
【０００８】
特許文献１に開示されたＬＥＤ駆動回路では、上述のように、各ランプバラスト回路から対応するＬＥＤランプにそれぞれ給電することから、対応するＬＥＤランプと同数のランプバラスト回路が必要となる。このため、ＬＥＤ駆動回路の回路規模が大きくなり、ハロゲンランプの代替えＬＥＤランプに対する小型化の要求を満足するのが困難であった。
【０００９】
加えて、特許文献１に開示されたＬＥＤ駆動回路は、調光操作によって変化する入力供給電圧を受けた後、当該入力供給電圧を整流して得られた整流電圧の方形波に対応して色温度の異なるＬＥＤを制御する電圧制御方式であることから、ゼロ電圧付近でＬＥＤに供給される電流に欠落部が生じてフリッカの原因となりやすいという問題もあった。フリッカの問題を解決しようとすると、ランプバラスト回路を方形波に応じた電圧あるいは電流に変換する必要があり、回路の規模がさらに複雑になるといった別の問題を生じさせてしまう。
【００１０】
本発明は、このような従来技術の問題点に鑑みて開発されたものである。それゆえに本発明の主たる課題は、白熱電球と同様に、減光とともに色温度の低い光を発することのできる、簡単な回路構成のＬＥＤランプを提供することにある。
【課題を解決するための手段】
【００１１】
請求項１に記載した発明は、
調光操作によって大きさが変化する直流の入力電流を受けて点灯するＬＥＤランプであって、
第１のＬＥＤと、
第１のＬＥＤに対して並列に接続されているとともに、第１のＬＥＤよりも色温度の低い光を発する第２のＬＥＤと、
第１のＬＥＤに対して並列、かつ、第２のＬＥＤに対して直列に接続されているインピーダンス回路とを備える
ＬＥＤランプである。
【００１２】
請求項２に記載した発明は、請求項１のＬＥＤランプの改良に関し、
インピーダンス回路は、第２のＬＥＤを定電流で点灯させる定電流回路であることを特徴とする。
【００１３】
請求項３に記載した発明は、請求項１のＬＥＤランプの改良に関し、
インピーダンス回路は、空冷ファンであることを特徴とする。
【００１４】
請求項４に記載した発明は、請求項１から３のいずれかのＬＥＤランプの改良に関し、
第１のＬＥＤの順方向電圧は、第２のＬＥＤの順方向電圧よりも高いことを特徴とする。
【発明の効果】
【００１５】
本発明によれば、白熱電球と同様に、減光とともに色温度の低い光を発することのできる、簡単な回路構成のＬＥＤランプを提供できる。さらに、インピーダンス回路として空冷ファンを用いることにより、調光操作によって入力電流を絞って暗くしたときに、色温度が低く（赤く）なるとともに空冷ファンの速度も低下して静音になるので好適である。
【図面の簡単な説明】
【００１６】
【図１】本発明が適用されたＬＥＤランプ、および、ＬＥＤ駆動回路の一例を示す回路図である。
【図２】調光器による導通角が１８０°の場合における各所の波形を示す図である。
【図３】調光器による導通角が９０°の場合における各所の波形を示す図である。
【図４】図１に示す回路を用いて導通角を変化させた場合における、各電流の大きさを示すグラフである。
【図５】他の実施例にかかるＬＥＤランプを示す回路図である。
【図６】図５に示す回路を用いて導通角を変化させた場合における、各電流の大きさを示すグラフである。
【図７】他の実施例にかかるＬＥＤランプを示す回路図である。
【図８】定電流回路の典型例を示す回路図である。
【発明を実施するための形態】
【００１７】
以下、本発明が適用された実施例について、図面を用いて説明する。図１は、本発明が適用されたＬＥＤランプ１０およびＬＥＤ駆動回路１２の実施例を示している。また、図１の実施例に係るＬＥＤ駆動回路１２には、商用交流電源１４からの交流が位相制御調光器１６によって導通角制御された上で入力するようになっている。
【００１８】
ＬＥＤランプ１０は、第１のＬＥＤ１８と、第２のＬＥＤ２０と、インピーダンス回路２２と、一対のＬＥＤランプ入力端子２１とを備えている。
【００１９】
第１のＬＥＤ１８は、１以上の数のＬＥＤで構成されており、所定の色温度の光を発するようになっている。本実施例では、複数のＬＥＤを直列に接続して第１のＬＥＤ１８を構成しているが、各ＬＥＤを互いに並列に接続してもよい。また、第１のＬＥＤ１８の両端は、一対のＬＥＤランプ入力端子２１にそれぞれ電気的に接続されている。なお、複数のＬＥＤで第１のＬＥＤ１８を構成する場合、各ＬＥＤから発する光の色温度をすべて同じにしてもよいし、互いに異なる色温度の光を発するようにしてもよい（この点は、第２のＬＥＤ２０においても同じである）。また、第１のＬＥＤ１８全体として発せられる光の色温度は、第２のＬＥＤ２０全体として発せられる光の色温度に比べて高くなるように設定されている。
【００２０】
第２のＬＥＤ２０も、第１のＬＥＤ１８と同様、１以上の数のＬＥＤで構成されており、第２のＬＥＤ２０全体として見た場合に第１のＬＥＤ１８全体から発せられる光の色温度よりも低い色温度の光を発するようになっている。また、第２のＬＥＤ２０は、第１のＬＥＤ１８に対して並列に接続されている。
【００２１】
なお、インピーダンス回路２２を動作させるため、第１のＬＥＤ１８の順方向電圧は、第２のＬＥＤ２０の順方向電圧よりも高く設定されている。もし、第１のＬＥＤ１８の順方向電圧を第２のＬＥＤ２０の順方向電圧よりも高く設定できない場合、第１のＬＥＤ１８に対して直列にツェナーダイオードのような定電圧素子を追加するなどして、見かけ上の第１のＬＥＤ１８の順方向電圧を高くする必要がある。
【００２２】
インピーダンス回路２２は、第１のＬＥＤ１８に対して並列、かつ、第２のＬＥＤ２０に対して直列に接続された回路である。当該インピーダンス回路２２の役割は、第１のＬＥＤ１８および第２のＬＥＤ２０全体に流れる電流Ｉoが増減したときにおいて、第１のＬＥＤ１８に流れる電流Ｉo1の増減に関する比例定数（傾き）に比べて、第２のＬＥＤ２０に流れる電流Ｉo2の増減に関する比例定数（傾き）を小さくすることにある。
【００２３】
本実施例では、インピーダンス回路２２として定電流回路が使用されている。しかし、インピーダンス回路２２は、「定電流回路」に限定されるものではなく、後述するように、ＬＥＤランプ１０（ＬＥＤ素子、インピーダンス回路、筐体）を冷却する空冷ファンを使用してもよく、また、一般的な抵抗器を用いることもできる。
【００２４】
ＬＥＤ駆動回路１２は、上述したＬＥＤランプ１０に対し、調光操作によって大きさが変化する直流の入力電流Ｉoを供給する回路である。一例としてのＬＥＤ駆動回路１２は、一対のＬＥＤ駆動回路入力端子２３と、整流回路２４と、入力波形デコーダ２６と、出力電流制御回路２８と、定電流駆動回路３０と、絶縁トランス３２と、出力整流回路３４と、一対のＬＥＤ駆動回路出力端子３５とを備えている。なお、最近は、このようなＬＥＤ駆動回路１２が外置き電源として商品化されている（例えば、トヨスター株式会社製  位相制御調光対応絶縁ＬＥＤドライバーモジュール  モデル名：TLD-06A35A）。
【００２５】
整流回路２４は、位相制御調光器１６によって導通角制御された後、ＬＥＤ駆動回路入力端子２３を介してＬＥＤ駆動回路１２内に導入された交流を整流するための回路であり、通常、全波整流回路が使用されている。また、整流回路２４からは、２本のリード線（プラス線５０、および、ゼロボルト線５２）が延出している。
【００２６】
入力波形デコーダ２６は、プラス線５０とゼロボルト線５２との間に接続され、ＬＥＤ駆動回路１２に導入された交流の導通角に応じたデューティサイクルの信号（デコーダ出力電流）Ｉcを出力する回路である。入力波形デコーダ２６からは、デコーダ出力電流Ｉcを出力電流制御回路２８に出力するためのデコーダ出力電流線５４が延出している。
【００２７】
出力電流制御回路２８は、入力波形デコーダ２６から出力されたデューティサイクルの信号（デコーダ出力電流）Ｉcに応じた制御信号を定電流駆動回路３０に対して出力する回路である。当該出力電流制御回路２８には、入力波形デコーダ２６からのデコーダ出力電流線５４が接続されている。また、当該出力電流制御回路２８からは、ゼロボルト線５２に接続されるアース線５６、および、制御信号を定電流駆動回路３０に出力するための制御信号線５８がそれぞれ延出している。
【００２８】
定電流駆動回路３０は、出力電流制御回路２８からの制御信号に応じた大きさの定電流を出力する回路である。つまり、定電流駆動回路３０から出力される定電流の大きさは、位相制御調光器１６によって決められた導通角に応じたものになる。定電流駆動回路３０はプラス線５０とゼロボルト線５２との間に接続されており、さらに、定電流駆動回路３０には、出力電流制御回路２８からの制御信号線５８が接続されている。
【００２９】
定電流駆動回路３０から出力された定電流は、絶縁トランス３２を介して出力整流回路３４に与えられる。最終的に、出力整流回路３４からＬＥＤ駆動回路出力端子３５に導通角に応じた大きさの直流電流ＩoがＬＥＤ駆動回路出力端子３５から出力される。ＬＥＤ駆動回路出力端子３５は、ＬＥＤランプ１０のＬＥＤランプ入力端子２１にそれぞれ電気的に接続されているので、直流電流ＩoはＬＥＤランプ入力端子２１を介してＬＥＤランプ１０内に導入される。
【００３０】
位相制御調光器１６は、商用交流電源１４からの交流を導通角制御するものであり、本実施例では、一般にトライアック調光器と呼ばれている公知の位相制御調光器が使用されている。位相制御調光器１６からの出力は、ＬＥＤ駆動回路１２のＬＥＤ駆動回路入力端子２３を介し、導通角に応じて変化する入力電圧ＶiとしてＬＥＤ駆動回路１２に導入される。
【００３１】
次に、本実施例のＬＥＤ駆動回路１２を用いてＬＥＤランプ１０を点灯させたときにおけるそれぞれの動作について説明する。先にＬＥＤ駆動回路１２の動作について説明し、然る後、ＬＥＤランプ１０の動作について説明する。
【００３２】
最初に、位相制御調光器１６からの出力の導通角が１８０°の場合について、図２を用いて説明する。図２（ａ）は、位相制御調光器１６からの出力、すなわち、ＬＥＤ駆動回路１２に導入される入力電圧Ｖiを示している。この入力電圧Ｖiは、整流回路２４で全波整流されて図２（ｂ）のような整流回路出力電圧Ｖdcとなる。そして、この整流回路出力電圧Ｖdcを受けた入力波形デコーダ２６は、図２（ｃ）のようなデコーダ出力電流Ｉcを出力する。そして、デコーダ出力電流Ｉcを受けた出力電流制御回路２８は、デコーダ出力電流Ｉcのデューティサイクルに応じた大きさの定電流を出力する（図示せず）。当該定電流は、絶縁トランス３２を介した後、図２（ｄ）に示すような駆動回路出力電流Ｉoとして出力整流回路３４から出力される。位相制御調光器１６における導通角が１８０°の場合、駆動回路出力電流Ｉoは最大Ｉo(max)となる。
【００３３】
次に、位相制御調光器１６からの出力の導通角が９０°の場合について、図３を用いて説明する。図３（ａ）は、位相制御調光器１６からの入力電圧Ｖiを示しており、図２（ａ）と比べて各半波長の最初の９０°分（半波長全体の前半１／２）が削られたようになっている。この入力電圧Ｖiは、整流回路２４で全波整流されて図３（ｂ）のような整流回路出力電圧Ｖdcとなる。そして、この整流回路出力電圧Ｖdcを受けた入力波形デコーダ２６は、整流回路出力電圧Ｖdcに対応して最初の半分が削られたような、図３（ｃ）に示すデコーダ出力電流Ｉcを出力する。そして、デコーダ出力電流Ｉcを受けた出力電流制御回路２８は、デコーダ出力電流Ｉcのデューティサイクルに応じた大きさの定電流を出力する（図示せず）。当該定電流は、絶縁トランス３２を介した後、図３（ｄ）に示すような駆動回路出力電流Ｉoとして出力整流回路３４から出力される。位相制御調光器１６における導通角が９０°の場合、駆動回路出力電流Ｉoは、導通角が１８０°の場合の出力電流Ｉo(max)の約半分となる。
【００３４】
出力された駆動回路出力電流Ｉoは、ＬＥＤランプ入力端子２１を介してＬＥＤランプ１０に導入される。上述のように、ＬＥＤランプ１０において、第１のＬＥＤ１８と第２のＬＥＤ２０とは互いに並列に接続されており、また、インピーダンス回路２２は第１のＬＥＤ１８に対して並列かつ第２のＬＥＤ２０に対して直列に接続されている。このため、駆動回路出力電流Ｉoは、第１のＬＥＤ１８と、第２のＬＥＤ２０およびインピーダンス回路２２とに分かれて流れることになる。本明細書では、第１のＬＥＤ１８に流れる電流をＩo1と表記し、第２のＬＥＤ２０およびインピーダンス回路２２に流れる電流をＩo2と表記する。
【００３５】
一例として、駆動回路出力電流Ｉo(max)（つまり、ＬＥＤランプ１０への入力電流Ｉo(max)）が３５０ｍＡの場合について、図４および表１を用いて説明する。この値は製品化されている外部電源（＝ＬＥＤ駆動回路１２）から出力される標準的な定格電流値である。また、図４および表１に示す実施例では、インピーダンス回路２２（＝定電流回路）の電流が９０ｍＡに設定されている。つまり、Ｉo2は９０ｍＡである。位相制御調光器１６による導通角の設定が１８０°〜約６０°の範囲に対応する入力電流Ｉo（実施例では３５０〜約９０ｍＡ）がＬＥＤ駆動回路１２からＬＥＤランプ１０に与えられている場合、インピーダンス回路２２によってＩo2は９０ｍＡに維持される。
【表１】
2015002034.tif 000003
【００３６】
一方、第１のＬＥＤ１８に流れる電流Ｉo1は、「Ｉo-Ｉo2」で与えられる。つまり、導通角が１８０°の場合（＝Ｉo(max)）は、Ｉo1＝３５０ｍＡ-９０ｍＡ＝２６０ｍＡである。Ｉo1の値は、導通角が狭くなるにつれて小さくなり、導通角が約４５°で０ｍＡになる。また、導通角が６０°以下になると、電流Ｉo2も徐々に低下していく。
【００３７】
ＬＥＤランプ１０がこのように動作することにより、導通角が広い場合（例えば、１８０°〜１０５°）には、Ｉo1がＩo2よりも大きく、色温度が比較的高い第１のＬＥＤ１８からの光が強調されることから、ＬＥＤランプ１０全体としては色温度の高い光が目立つ。
【００３８】
逆に、導通角が狭い場合（例えば、９０°以下）には、Ｉo1がＩo2よりも小さくなり、色温度が比較的低い第２のＬＥＤ２０からの光が強調されることから、ＬＥＤランプ１０全体としては色温度の低い光が目立つことになる。
【００３９】
導通角を狭くしていったとき、Ｉo1とＩo2との差（＝ΔＩo）は徐々に小さくなることから、ＬＥＤランプ１０から出る光の色温度も出光量の低下に応じて小さくなる。このように、出光量と色温度との関係が従来の白熱電球における当該関係と同様になることから、本実施例のＬＥＤランプ１０は従来の白熱電球の代替えとして好適である。なお、表２にはＬＥＤ電圧として第１のＬＥＤ１８の電圧Ｖf1=１２Ｖ（４つのＬＥＤ素子）、第２のＬＥＤ２０の電圧Ｖf2=９Ｖ（３つのＬＥＤ素子）の例を示しており、それぞれ、導通角が１８０°の場合にＩo1=２６０ｍＡ、Ｉo2=９０ｍＡなのでＬＥＤ電力はそれぞれＷo1=Ｖf1×Ｉo1≒３．１Ｗ、Ｗo2=Ｖf2×Ｉo2≒０．８Ｗとなることを示している。
【００４０】
図５には、インピーダンス回路２２の他の実施例として、ＬＥＤランプ１０（ＬＥＤ素子、インピーダンス回路、筐体）を冷却する空冷ファンを使用した場合が示されている。本実施例のインピーダンス回路２２（＝空冷ファン）には、第１のＬＥＤ１８の電圧Ｖf1と第２のＬＥＤ２０の電圧Ｖf2との電位差（＝ΔＶ）が印加され、当該電位差ΔＶに応じた電流Ｉo2が第２のＬＥＤ２０およびインピーダンス回路２２に流れる。導通角に応じて入力電流Ioが小さくなると、第１のＬＥＤ１８および第２のＬＥＤ２０の電圧は少しだけ低くなる傾向にある。このため、入力電流Ioが小さくなると電位差ΔＶもやや低くなることから、図６および表２に示すように、入力電流Ioが小さくなるとＩo2も少しずつ小さくなる。もちろん、入力電流Ioの比例定数（傾き）に比べてＩo2の比例定数（傾き）は十分に小さく、導通角を狭くしていったときにＩo1とＩo2との差（＝ΔＩo）が徐々に小さくなる点は、先の実施例（図４）と同じである。
【表２】
2015002034.tif 000004
【００４１】
導通角を狭くしていって、インピーダンス回路２２（＝空冷ファン）に流れる電流Ｉo2が小さくなると、空冷ファンによるＬＥＤの冷却能力も低下するが、入力電流Ｉoが小さくなってＬＥＤからの発熱量も少なくなっていることから冷却の問題は生じにくい。むしろ、本実施例に係るＬＥＤランプ１０は、導通角を狭くしていくと、ＬＥＤランプ１０からの出光量が低下するとともに色温度も低下（赤みが増す）し、さらに空冷ファンの回転速度も低下して静音になるので、例えば寝室で使用するランプとして好適である。
【００４２】
インピーダンス回路２２の別の実施例を図７に示す。当該実施例のインピーダンス回路２２は、定電流回路および空冷ファンを互いに並列に接続することによって構成されている。空冷ファンだけでインピーダンス回路２２を構成する場合（図５の実施例）、第２のＬＥＤ２０に流れる電流Ｉo2は空冷ファンのインピーダンス特性に大きく依存するが、本実施例のように定電流回路を並列に追加することにより、電流Ｉo2の大きさを所望の値に設定することができる点で好適である。なお、本実施例の動作特性は図６に示すものと同様であることから詳細な説明は省略する。
【００４３】
各実施例においてインピーダンス回路２２として使用される定電流回路の典型例を図８に示す。本実施例の定電流回路（＝インピーダンス回路２２）は、２つの抵抗Ｒ１、Ｒ２、および、２つのトランジスタＱ１、Ｑ２で構成されている。抵抗Ｒ１の一端は、第２のＬＥＤ２０のアノードに接続されており、他端は、トランジスタＱ１のコレクタに接続されている。トランジスタＱ２のコレクタは、第２のＬＥＤ２０のカソードに接続されており、同トランジスタＱ２のエミッタは、抵抗Ｒ２の一端に接続されている。抵抗Ｒ２の他端は、トランジスタＱ１のエミッタに接続されている。トランジスタＱ１のベースは、トランジスタＱ２と抵抗Ｒ２との間に接続されており、トランジスタＱ２のベースは、抵抗Ｒ１とトランジスタＱ１との間に接続されている。また、第２のＬＥＤ２０と抵抗Ｒ１との間、および、抵抗Ｒ２とトランジスタＱ１との間の電位差が、第１のＬＥＤ１８の両端間電位差と同じになっている。
【００４４】
電流Ｉo2の値はトランジスタＱ１のベース電圧ＶBEと抵抗Ｒ２の抵抗値とで決まり、Ｉo2≒ＶBE／Ｒ２で与えられる。定電流回路の動作のためにはある程度の電位差が必要であることから、第１のＬＥＤ１８の順方向電圧Ｖf1は、第２のＬＥＤ２０の順方向電圧Ｖf2よりも高く設定するのが好適である。もし、Ｖf1＞Ｖf2に設定することができない場合は、第１のＬＥＤ１８に対して直列にツェナーダイオードを追加するなどして見かけ上の電圧Ｖf1を高くすることで対応可能である（図示せず）。ただし、ツェナーダイオードを用いる場合、当該ツェナーダイオードによるエネルギー損失があることから、ＬＥＤランプ１０全体の発光効率は低下する。
【００４５】
本明細書では、位相制御調光器１６およびこれに対応したＬＥＤ駆動回路１２による、ＬＥＤランプ１０への入力電流Ｉoの調整の例を示したが、大きさが変化する直流の入力電流Ｉoを出力できるものであれば他の方式（例えばＰＷＭ制御方式）のＬＥＤ駆動回路１２を使用することもできる。
【符号の説明】
【００４６】
１０…ＬＥＤランプ、１２…ＬＥＤ駆動回路、１４…商用交流電源、１６…位相制御調光器、１８…第１のＬＥＤ、２０…第２のＬＥＤ、２１…ＬＥＤランプ入力端子、２２…インピーダンス回路、２３…ＬＥＤ駆動回路入力端子、２４…整流回路、２６…入力波形デコーダ、２８…出力電流制御回路、３０…定電流駆動回路、３２…絶縁トランス、３４…出力整流回路、３５…ＬＥＤ駆動回路出力端子、５０…プラス線、５２…ゼロボルト線、５４…デコーダ出力電流線、５６…アース線、５８…制御信号線
【図１】
2015002034.tif 000005
【図２】
2015002034.tif 000006
【図３】
2015002034.tif 000007
【図４】
2015002034.tif 000008
【図５】
2015002034.tif 000009
【図６】
2015002034.tif 000010
【図７】
2015002034.tif 000011
【図８】
2015002034.tif 000012
【手続補正書】
【提出日】平成26年9月8日(2014.9.8)
【手続補正１】
【補正対象書類名】特許請求の範囲
【補正対象項目名】全文
【補正方法】変更
【補正の内容】
【特許請求の範囲】
【請求項１】
調光操作によって大きさが変化する直流の入力電流を受けて点灯するＬＥＤランプであって、
第１のＬＥＤと、
前記第１のＬＥＤに対して並列に接続されているとともに、前記第１のＬＥＤよりも色温度の低い光を発する第２のＬＥＤと、
前記第１のＬＥＤに対して並列、かつ、前記第２のＬＥＤに対して直列に接続されているインピーダンス回路とを備える
ＬＥＤランプ。
【請求項２】
前記インピーダンス回路は、抵抗器であることを特徴とする請求項１に記載のＬＥＤランプ。
【請求項３】
前記インピーダンス回路は、前記第２のＬＥＤを定電流で点灯させる定電流回路であることを特徴とする請求項１に記載のＬＥＤランプ。
【請求項４】
前記インピーダンス回路は、空冷ファンであることを特徴とする請求項１に記載のＬＥＤランプ。
【請求項５】
前記第１のＬＥＤの順方向電圧は、前記第２のＬＥＤの順方向電圧よりも高いことを特徴とする請求項１から４のいずれかに記載のＬＥＤランプ。
【手続補正２】
【補正対象書類名】明細書
【補正対象項目名】００１１
【補正方法】変更
【補正の内容】
【００１１】
請求項１に記載した発明は、
調光操作によって大きさが変化する直流の入力電流を受けて点灯するＬＥＤランプであって、
第１のＬＥＤと、
第１のＬＥＤに対して並列に接続されているとともに、第１のＬＥＤよりも色温度の低い光を発する第２のＬＥＤと、
第１のＬＥＤに対して並列、かつ、第２のＬＥＤに対して直列に接続されているインピーダンス回路とを備える
ＬＥＤランプである。
また、請求項２に記載した発明は、請求項１のＬＥＤランプの改良に関し、
インピーダンス回路は、抵抗器であることを特徴とする。
【手続補正３】
【補正対象書類名】明細書
【補正対象項目名】００１２
【補正方法】変更
【補正の内容】
【００１２】
請求項３に記載した発明は、請求項１のＬＥＤランプの改良に関し、
インピーダンス回路は、第２のＬＥＤを定電流で点灯させる定電流回路であることを特徴とする。
【手続補正４】
【補正対象書類名】明細書
【補正対象項目名】００１３
【補正方法】変更
【補正の内容】
【００１３】
請求項４に記載した発明は、請求項１のＬＥＤランプの改良に関し、
インピーダンス回路は、空冷ファンであることを特徴とする。
【手続補正５】
【補正対象書類名】明細書
【補正対象項目名】００１４
【補正方法】変更
【補正の内容】
【００１４】
請求項５に記載した発明は、請求項１から４のいずれかのＬＥＤランプの改良に関し、
第１のＬＥＤの順方向電圧は、第２のＬＥＤの順方向電圧よりも高いことを特徴とする。